(57)【要約】【課題】複数の信号処理において、各信号処理を実行しないことにより、入力された映像信号に基づく映像が表示されるまでに短縮可能な時間の把握が可能な映像表示処理装置を提供する。【解決手段】各表示モードに対応して、３次元Ｙ／Ｃ分離回路、倍速回路及びスケーラ回路のうちのいずれの回路を実行させるかを設定する際に、４つの表示モード（ＤＹＮＡＭＩＣ、ＳＴＡＮＤＡＲＤ、ＭＯＶＩＥ、ＧＡＭＥ）のうちから選択された表示モードに対応して、３つの信号処理（倍速、３次元Ｙ／Ｃ、スケーリング）の情報を表示させる。信号処理の情報には、それぞれの信号処理を実行しない場合に映像信号に基づく映像が表示部に表示されるまでに短縮できる時間が含まれる。【選択図】図３
2009027371.tif 000002
【特許請求の範囲】
【請求項１】
入力された映像信号にそれぞれ異なる信号処理を実行する複数の信号処理手段と、該信号処理手段によって信号処理された映像信号に基づく映像を表示装置に表示させる表示処理手段とを備える映像表示処理装置において、
前記複数の信号処理手段のそれぞれが実行する信号処理に対応して、それぞれの信号処理を実行しないことによって映像信号に基づく映像が表示されるまでに短縮される時間に関する情報を表示装置に表示させる短縮時間表示処理手段と、
前記複数の信号処理手段のそれぞれが実行する信号処理から１又は複数の信号処理の選択を受け付ける受付手段と、
該受付手段が選択を受け付けた信号処理を、実行すべき信号処理として記憶する処理記憶手段と、
該処理記憶手段に記憶してある信号処理を実行させるように前記信号処理手段を制御する制御手段とを備え、
前記表示処理手段は、前記制御手段による制御に従って対応する信号処理手段が信号処理した映像信号に基づく映像を表示させるように構成してあることを特徴とする映像表示処理装置。
【請求項２】
前記短縮時間表示処理手段は、前記短縮される時間を所定の指標で表示させるように構成してあることを特徴とする請求項１に記載の映像表示処理装置。
【請求項３】
前記短縮時間表示処理手段は、前記短縮される時間を所定の図表で表示させるように構成してあることを特徴とする請求項１に記載の映像表示処理装置。
【請求項４】
前記受付手段が選択を受け付けた場合、前記処理記憶手段に記憶してある信号処理が実行された映像信号に基づく映像と、前記受付手段が選択を受け付けた信号処理が実行された映像信号に基づく映像とを同時に表示装置に表示させる手段と、
前記受付手段が選択を受け付けた信号処理を、実行すべき信号処理に設定するか否かを特定する手段と、
前記受付手段が選択を受け付けた信号処理を実行すべき信号処理に設定すると特定された場合、前記受付手段が選択を受け付けた信号処理を、実行すべき信号処理として前記処理記憶手段に記憶させる手段と
を備えることを特徴とする請求項１から３までのいずれか一項に記載の映像表示処理装置。
【請求項５】
複数の表示条件のそれぞれに対して、実行すべき信号処理を対応付けて記憶する条件記憶手段と、
前記表示条件のそれぞれに対応付けて前記条件記憶手段に記憶してある信号処理が実行された映像信号に基づく映像を同時に表示装置に表示させる手段と、
前記表示条件から１つを選択する選択手段と、
該選択手段が選択した表示条件に対応する信号処理を、実行すべき信号処理として前記処理記憶手段に記憶させる手段と
を備えることを特徴とする請求項１から３までのいずれか一項に記載の映像表示処理装置。
【請求項６】
前記受付手段が選択を受け付けた信号処理を、それぞれを識別する識別情報に対応付けて前記条件記憶手段に記憶させる手段を備え、
前記選択手段は、前記表示条件又は識別情報を選択するように構成してあり、
選択された表示条件又は識別情報に対応する信号処理を、実行すべき信号処理として前記処理記憶手段に記憶させる手段を備えることを特徴とする請求項５に記載の映像表示処理装置。
【請求項７】
複数の表示条件のそれぞれに対して、実行すべき信号処理を対応付けて記憶する条件記憶手段と、
入力された映像信号に基づいて前記表示条件から１つを選択する選択手段と、
該選択手段が選択した表示条件に対応する信号処理を、実行すべき信号処理として前記処理記憶手段に記憶させる手段と
を備えることを特徴とする請求項１から３までのいずれか一項に記載の映像表示処理装置。
【請求項８】
前記制御手段による制御に従って信号処理を実行させない信号処理手段をバイパスさせる手段を備えることを特徴とする請求項１から７までのいずれか一項に記載の映像表示処理装置。
【請求項９】
前記映像信号と共に入力された音声信号に所定の信号処理を実行する音声処理手段と、
前記制御手段による制御に従って対応する信号処理手段が信号処理した映像信号に基づく映像の表示タイミングに対する、前記音声処理手段によって信号処理された音声信号に基づく音声の出力タイミングを設定する設定手段と、
該設定手段が設定した出力タイミングで前記音声信号に基づく音声を出力する音声出力手段と
を備えることを特徴とする請求項１から８までのいずれか一項に記載の映像表示処理装置。
【請求項１０】
前記制御手段による制御に従って映像信号に実行される信号処理の処理時間を特定する特定手段と、
所定の映像信号及び音声信号を取得する取得手段と、
映像及び音声の出力の指示を受け付ける出力指示受付手段とを備え、
前記表示処理手段は、前記出力指示受付手段が指示を受け付けてから前記特定手段が特定した処理時間が経過した後に、前記取得手段が取得した映像信号に基づく映像を表示させるように構成してあり、
前記音声出力手段は、前記表示処理手段による映像の表示タイミングに対して、前記設定手段が設定した出力タイミングで、前記取得手段が取得した音声信号に基づく音声を出力するように構成してあることを特徴とする請求項９に記載の映像表示処理装置。
【請求項１１】
所定の映像信号及び音声信号を取得する取得手段と、
映像及び音声の出力の指示を受け付ける出力指示受付手段とを備え、
前記制御手段は、前記出力指示受付手段が指示を受け付けた場合、前記処理記憶手段に記憶してある信号処理を前記取得手段が取得した映像信号に対して実行させるように前記信号処理手段を制御するように構成してあり、
前記表示処理手段は、前記制御手段による制御に従って対応する信号処理手段が信号処理した映像信号に基づく映像を表示させるように構成してあり、
前記音声出力手段は、前記取得手段が取得した音声信号に対して前記音声処理手段が信号処理を実行し、得られた音声信号に基づく音声を、前記表示処理手段による映像の表示タイミングに対して前記設定手段が設定した出力タイミングで出力するように構成してあることを特徴とする請求項９に記載の映像表示処理装置。
【発明の詳細な説明】
【技術分野】
【０００１】
本発明は、入力された映像信号に対して所定の信号処理を実行した後、表示装置に表示させる映像表示処理装置に関する。
【背景技術】
【０００２】
ビデオテープ、ＤＶＤ（Digital Versatile Disk）、メモリカード等の記録媒体に映像信号及び音声信号を記録し、又は記録媒体に記録された映像信号及び音声信号を再生する記録再生装置、ゲーム機がテレビジョン装置に接続されて利用されている。この場合、記録再生装置で再生された映像信号及び音声信号、又はゲーム機で生成された映像信号及び音声信号が、テレビジョン装置のディスプレイ及びスピーカによって出力される。
【０００３】
また、テレビジョン装置は、映像信号及び音声信号等からなる放送信号を受信しており、放送信号のデジタル化に伴って、受信した放送信号、特に映像信号に対して各種の信号処理を行なうことによって高画質の映像を表示させるように構成されているものもある。このように、高画質の映像を表示させるために映像信号に対して各種の信号処理を行なう場合、テレビジョン装置が外部から映像信号を取得してから表示させるまでに、信号処理に要する時間の遅延が生じてしまう。
【０００４】
テレビジョン装置が、記録再生装置で再生された映像信号及び音声信号、又は受信した放送信号に基づいて映像及び音声を一方的に出力する場合、テレビジョン装置によって出力される映像及び音声を視聴する視聴者は、テレビジョン装置が外部から映像信号を取得してから表示させるまでに生じる遅延による影響を受けない。
【０００５】
一方、例えばテレビジョン装置にゲーム機を接続して利用する場合、ゲーム機のプレーヤーは、テレビジョン装置で出力された映像及び音声に従ってゲーム機を操作する。ここで、テレビジョン装置が、ゲーム機で生成された映像信号に対して各種の信号処理を行なった場合、プレーヤーによる操作に従ってゲーム機が生成した映像信号がテレビジョン装置で表示されるまでの間に、信号処理に要する時間の遅延を生じる。この場合、プレーヤーは、自身が行なった操作に対する反応に対して違和感を感じ、ゲームの内容によってはゲームの結果が変わってしまう虞がある。
【０００６】
そこで、特許文献１には、映像信号に対してデジタル演算処理を行なう演算処理部と、デジタル演算処理を行なわずに後段に出力するバイパススイッチ部とを備え、ゲーム機からの映像信号を出力させる場合には、バイパススイッチ部によって演算処理部をバイパスさせる表示装置が開示されている。特許文献１の表示装置を用いることにより、ゲーム機から映像信号が入力されてから映像を表示させるまでに生じる遅延時間を短縮し、ゲーム機を操作する際の違和感を解消させることができる。
【特許文献１】特開２００５−３３８６０５号公報
【発明の開示】
【発明が解決しようとする課題】
【０００７】
しかし、特許文献１に開示された表示装置では、ユーザが任意のデジタル演算処理をバイパスさせることはできるが、どの演算処理をバイパスさせることによってどのくらいの時間が短縮されるのか等の具体的な情報をユーザが知ることはできない場合が多い。また、演算処理をバイパスさせることによって映像信号が入力されてから映像を表示させるまでに生じる遅延時間を短縮させるので、遅延時間を短縮させることと、演算処理を実行させることによって高画質化を実現することとがトレードオフの関係になる。従って、上述したような具体的な情報を知ることができないユーザが、遅延時間を短縮するためにバイパスさせる演算処理を適切に選択することは非常に困難である。
【０００８】
本発明は、斯かる事情に鑑みてなされたものであり、その目的とするところは、複数の信号処理から実行すべき信号処理を選択する際に、各信号処理を実行しないことによって短縮される時間を容易に把握することが可能な映像表示処理装置を提供することにある。
【課題を解決するための手段】
【０００９】
本発明に係る映像表示処理装置は、入力された映像信号にそれぞれ異なる信号処理を実行する複数の信号処理手段を備えており、複数の信号処理手段のそれぞれが実行する信号処理に対応して、それぞれの信号処理を実行しないことによって映像信号に基づく映像が表示されるまでに短縮される時間を表示させる。また、複数の信号処理から１又は複数の信号処理の選択を受け付け、選択された信号処理を実行させるように対応する信号処理手段を制御する。そして、対応する信号処理手段によって信号処理された映像信号に基づく映像を表示装置に表示させる。
【発明の効果】
【００１０】
本発明では、映像表示処理装置が、複数の信号処理のそれぞれに対応して、各信号処理を実行しないことによって映像信号に基づく映像が表示されるまでに短縮される時間を表示させることにより、ユーザが、各信号処理を実行させないことによって短縮される時間を容易に把握することができる。従って、ユーザは、このような情報に基づいて実行すべき信号処理を選択できるので、実行すべき信号処理を容易に選択することができると共に、選択した信号処理を行なうことによって生じる遅延時間を容易に把握することができる。
【発明を実施するための最良の形態】
【００１１】
（実施形態１）
以下に、本発明に係る映像表示処理装置を、実施形態１であるテレビジョン装置を示す図面に基づいて詳述する。図１は実施形態１に係るテレビジョン装置の構成例を示すブロック図である。
【００１２】
本実施形態１のテレビジョン装置１は、リモートコントロール装置（以下、リモコンという）２によって遠隔からの操作が可能に構成されている。テレビジョン装置１とリモコン２とは、例えば、赤外線を利用したＩｒＤＡ（Infrared Data Association）規格に従う無線通信が可能に構成されている。なお、テレビジョン装置１とリモコン２とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００１３】
テレビジョン装置１は、制御部１０、ＲＯＭ１１、ＲＡＭ１２、操作部１３、リモコンコード解析部１４、アナログチューナ１５、デジタルチューナ１６、デジタル映像信号入力部１７、表示インタフェース１８、デジタル音声信号入力部２０、音声信号処理部２１、スピーカ２２、映像信号処理部３等を備えており、これらのハードウェア各部はそれぞれバス１ａを介して相互に接続されている。
【００１４】
制御部１０は、ＣＰＵ（Central Processing Unit ）又はＭＰＵ（Micro Processor Unit）等により構成されており、バス１ａを介して接続される上述したようなハードウェア各部を制御すると共に、ＲＯＭ１１に予め格納されている制御プログラムを適宜ＲＡＭ１２に読み出して実行する。ＲＯＭ１１は、テレビジョン装置１を本発明に係る映像表示処理装置として動作させるために必要な種々の制御プログラム及びテレビジョン装置１における各種のメニュー画像等を予め記憶している。ＲＡＭ１２は、ＳＲＡＭ又はフラッシュメモリ等で構成されており、制御部１０による制御プログラムの実行時に発生するデータを一時的に記憶する。
【００１５】
操作部１３は、テレビジョン装置１をユーザが操作するために必要な各種の操作キーを備えており、ユーザにより各操作キーが操作された場合、操作された操作キーに対応した制御信号を制御部１０へ送出する。これにより、制御部１０は操作部１３から取得した制御信号に従って各種の処理を実行する。
【００１６】
リモコンコード解析部１４には赤外線受光部１４ａが接続されている。赤外線受光部１４ａは、リモコン２から出力された赤外線を受光して所定の電気信号に変換し、得られた電気信号をリモコンコード解析部１４へ送出する。リモコンコード解析部１４は、赤外線受光部１４ａから取得した電気信号を解析し、リモコン２から入力された制御信号を取得し、取得した制御信号を制御部１０へ送出する。従って、制御部１０は、リモコン２から送信されてリモコンコード解析部１４によって解析された制御信号に従って各種処理を実行する。なお、リモコン２には、例えば、１〜１２の数字キー、十字キー、決定キー及びクリアキー等が設けられている。
【００１７】
アナログチューナ１５は、例えばＵＨＦテレビジョン放送信号及びＶＨＦテレビジョン放送信号、ＢＳアナログ放送信号又はＣＳアナログ放送信号等のアナログの放送信号を受信するためのチューナであり、アナログアンテナ１５ａに接続されている。アナログチューナ１５は、操作部１３又はリモコン２を介してユーザにより選択された放送チャンネルに応じて、アナログアンテナ１５ａが受信した電波を検波し、得られた放送波からアナログの映像信号及び音声信号を取得する。アナログチューナ１５は、取得した映像信号を表示インタフェース１８へ送出し、取得した音声信号をスピーカ２２へ送出する。
【００１８】
デジタルチューナ１６は、例えば地上波デジタル放送信号、ＢＳデジタル放送信号又はＣＳデジタル放送信号等のデジタルの放送信号を受信するためのチューナであり、デジタルアンテナ１６ａに接続されている。デジタルチューナ１６は、操作部１３又はリモコン３を介してユーザにより選択された放送チャンネルに応じて、デジタルアンテナ１６ａが受信した電波を検波し、得られた放送波からデジタルの映像信号及び音声信号を取得する。デジタルチューナ１６は、取得した映像信号を映像信号処理部３へ送出し、取得した音声信号を音声信号処理部２１へ送出する。
【００１９】
デジタル映像信号入力部１７は、例えばケーブルを介して外部の装置の映像信号出力部（図示せず）に接続されており、外部の装置からデジタルの映像信号を取得する。デジタル映像信号入力部１７は、外部の装置から取得したデジタルの映像信号を映像信号処理部３へ送出する。なお、デジタル映像信号入力部１７から送出される映像信号は、例えば１秒当たり６０枚の映像フレームで構成されており、フレーム単位で映像信号処理部３へ送出される。また、外部の装置としては、記録媒体に映像信号及び音声信号を記録し、記録媒体に記録された映像信号及び音声信号を再生する記録再生装置、ゲーム機等がある。
【００２０】
映像信号処理部３は、デジタルチューナ１６から送出された映像信号、又はデジタル映像信号入力部１７から送出された映像信号に対して所定の信号処理を実行し、得られた映像信号を表示インタフェース１８へ送出する。なお、映像信号処理部３の詳細な構成については後述する。
【００２１】
表示インタフェース１８には、プラズマディスプレイ（ＰＤＰ：Plasma Display Panel）、液晶ディスプレイ（ＬＣＤ：Liquid Crystal Panel）等からなる表示部１９が接続されている。表示インタフェース（表示処理手段）１８は、テレビジョン装置１の動作状況、ユーザに通知すべき情報、アナログチューナ１５から送出された映像信号に基づく映像、映像信号処理部３によって所定の信号処理が実行された映像信号に基づく映像等を表示部１９に表示させる。
【００２２】
デジタル音声信号入力部２０は、例えばケーブルを介して外部の装置の音声信号出力部（図示せず）に接続されており、外部の装置からデジタルの音声信号を取得する。デジタル音声信号入力部２０は、外部の装置から取得したデジタルの音声信号を音声信号処理部２１へ送出する。
【００２３】
音声信号処理部（音声処理手段）２１は、デジタル音声信号入力部２０から送出された音声信号に対して所定の信号処理を実行し、得られた音声信号をスピーカ２２へ送出する。スピーカ２２は、アナログチューナ１５から送出された音声信号、音声信号処理部２１から送出された音声信号に基づく音声を出力する。なお、音声信号処理部２１は、Ｄ／Ａ変換器（デジタル／アナログ変換器）及び増幅器（共に図示せず）を有しており、所定の信号処理を実行した音声信号をＤ／Ａ変換器によってアナログの音声信号に変換し、必要に応じて増幅器によって所定の大きさに増幅させた後、スピーカ２２へ送出する。
【００２４】
上述した構成により、テレビジョン装置１は、アナログチューナ１５が取得したアナログの放送信号に基づく映像及び音声を表示部１９及びスピーカ２２によって出力することができる。また、テレビジョン装置１は、デジタルチューナ１６が取得したデジタルの放送信号に基づく映像及び音声、又は、デジタル映像信号入力部１７から入力されたデジタルの映像信号に基づく映像及びデジタル音声信号入力部２０から入力されたデジタルの音声信号に基づく音声を表示部１９及びスピーカ２２によって出力することができる。
【００２５】
以下に、上述した構成のテレビジョン装置１における映像信号処理部３の構成について説明する。図２は映像信号処理部３の構成例を示すブロック図である。映像信号処理部３は、第１スイッチ回路３１、３次元Ｙ／Ｃ分離回路（信号処理手段）３２、第２スイッチ回路３３、倍速回路（信号処理手段）３４、第３スイッチ回路３５、スケーラ回路（信号処理手段）３６、出力部３７等を備えており、それぞれは、バス１ａを介して制御部１０からの制御に従って動作する。
【００２６】
第１スイッチ回路３１には、デジタルチューナ１６又はデジタル映像信号入力部１７から送出されたデジタルの映像信号が入力される。第１スイッチ回路３１は、制御部１０からの指示に従って、入力された映像信号を３次元Ｙ／Ｃ分離回路３２又は第２スイッチ回路３３へ送出する。入力された映像信号を第２スイッチ回路３３へ送出した場合、第１スイッチ回路３１は、３次元Ｙ／Ｃ分離回路３２をバイパスさせる手段として動作する。
【００２７】
３次元Ｙ／Ｃ分離回路３２は、複数枚の映像フレームを記憶するためのフレームメモリ（図示せず）を有する。３次元Ｙ／Ｃ分離回路３２は、第１スイッチ回路３１から順次入力される映像信号がコンポジット映像信号である場合に、フレームメモリに記憶された映像フレームの、時間的に前後する映像フレームに基づいて３次元Ｙ／Ｃ分離を行ない、輝度信号（Ｙ信号）及び色信号（Ｃ信号）を生成する。３次元Ｙ／Ｃ分離回路３２は、得られたＹ信号及びＣ信号を第２スイッチ回路３３へ送出する。
【００２８】
第２スイッチ回路３３は、第１スイッチ回路３１又は３次元Ｙ／Ｃ分離回路３２の一方から送出された映像信号を、制御部１０からの指示に従って、倍速回路３４又は第３スイッチ回路３５へ送出する。映像信号を第３スイッチ回路３５へ送出した場合、第２スイッチ回路３３は、倍速回路３４をバイパスさせる手段として動作する。
【００２９】
倍速回路３４は、複数枚の映像フレームを記憶するためのフレームメモリ（図示せず）を有する。倍速回路３４は、フレームメモリに記憶させた映像フレームの、時間的に前後する複数枚の映像フレームに基づいて補間処理を行ない、フレームレートの変換処理を行なう。倍速回路３４は、フレームレートを例えば２倍に変換した映像信号を第３スイッチ回路３５へ送出する。
【００３０】
第３スイッチ回路３５は、第２スイッチ回路３３又は倍速回路３４の一方から送出された映像信号を、制御部１０からの指示に従って、スケーラ回路３６又は出力部３７へ送出する。映像信号を出力部３７へ送出した場合、第３スイッチ回路３５は、スケーラ回路３６をバイパスさせる手段として動作する。
【００３１】
スケーラ回路３６は、第３スイッチ回路３５から送出された映像信号に対して拡大又は縮小することにより、表示部１９に表示される映像の画素数に応じたスケーリング処理を行なう。スケーラ回路３６は、スケーリング処理した映像信号を出力部３７へ送出する。
【００３２】
出力部３７は、第３スイッチ回路３５又はスケーラ回路３６の一方から送出された映像信号を表示インタフェース１８へ送出する。これにより、映像信号処理部３が備える３次元Ｙ／Ｃ分離回路３２、倍速回路３４及びスケーラ回路３６のうちのいずれかの回路によって所定の信号処理が施された映像信号に基づく映像が表示部１９に表示される。映像信号処理部３が備える３次元Ｙ／Ｃ分離回路３２、倍速回路３４及びスケーラ回路３６のいずれを動作させるかは予め設定されており、ＲＡＭ１２に登録されている。従って、制御部１０は、ＲＡＭ１２に登録された内容に従って、第１スイッチ回路３１、第２スイッチ回路３３、第３スイッチ回路３５、３次元Ｙ／Ｃ分離回路３２、倍速回路３４及びスケーラ回路３６の動作を制御する。
【００３３】
なお、本実施形態１では、映像信号処理部３は、３次元Ｙ／Ｃ分離回路３２、倍速回路３４及びスケーラ回路３６を備える構成であるが、これらの回路に限られず、入力される映像信号に対して実行すべき信号処理を行なう回路を必要に応じて設ければよい。また、上述した回路以外の信号処理回路を映像信号処理部３に設けた場合、各信号処理回路の直前にスイッチ回路を設け、各信号処理回路による信号処理の実行が不要である場合には各信号処理回路をバイパスできるように構成すればよい。このように、実行させない信号処理回路をバイパスさせることにより、各信号処理回路をスルーさせる構成よりも、表示部１９に映像が表示されるまでの時間を短縮できる。
【００３４】
ここで、本実施形態１では、映像信号処理部３が備える３次元Ｙ／Ｃ分離回路３２、倍速回路３４及びスケーラ回路３６のうちで、動作させるべき回路をユーザが任意に選択することができる。以下に、本実施形態１のテレビジョン装置１において、映像信号処理部３が備える３次元Ｙ／Ｃ分離回路３２、倍速回路３４及びスケーラ回路３６のうちで、動作させるべき回路を設定する処理について説明する。
【００３５】
テレビジョン装置１において、ユーザが操作部１３又はリモコン２を操作することにより、映像信号処理部３が備える３次元Ｙ／Ｃ分離回路３２、倍速回路３４及びスケーラ回路３６のうちで、動作させる回路の設定を行なう指示をした場合、制御部１０は、ＲＯＭ１１に格納されているメニュー画像を読み出し、読み出したメニュー画像に基づく設定画面を表示部１９に表示させる。
【００３６】
図３は設定画面の構成例を示す模式図である。図３に示す設定画面は、ダイナミック（ＤＹＮＡＭＩＣ）、スタンダード（ＳＴＡＮＤＡＲＤ）、ムービー（ＭＯＶＩＥ）、ゲーム（ＧＡＭＥ）の４つの表示モードが表示されており、ユーザがリモコン２の上下キーを操作することによって、各表示モードを選択することができる。図３においては、左側に「⇒」が表示されている「ＧＡＭＥ」が表示モードとして選択されており、このように「ＧＡＭＥ」が選択された状態でユーザがリモコン２の右キーを操作した場合、表示モードとして「ＧＡＭＥ」が確定し、表示モード「ＧＡＭＥ」の右側に３つの信号処理（倍速、３次元Ｙ／Ｃ、スケーリング）の情報が表示される。
【００３７】
３つの信号処理の情報が表示された状態の設定画面は、ユーザがリモコン２の上下キーを操作することによって、各信号処理を選択することができる。図３においては、左側に「⇒」が表示されている「倍速」が、動作させるか否かを設定する対象の信号処理として選択されており、このように「倍速」が選択された状態でユーザがリモコン２の左右キーを操作した場合、「倍速」の右側に表示される「オン（ＯＮ）」又は「オフ（ＯＦＦ）」が交互に変更される。
【００３８】
図３に示す設定画面において、ユーザがリモコン２の決定キーを操作した場合、制御部１０は、この設定画面を介して設定された情報をＲＡＭ１２に格納する。具体的には、設定画面を介して選択された表示モードに対応して、それぞれの信号処理が実行すべき信号処理であるか否かを示す「ＯＮ」又は「ＯＦＦ」の設定情報をＲＡＭ１２に格納する。これにより、制御部１０は、複数（ここでは３つ）の信号処理から、実行すべき１又は複数の信号処理の選択を受け付ける受付手段として動作し、選択された信号処理を、実行すべき信号処理としてＲＡＭ（処理記憶手段）１２に記憶させる。なお、図３に示す設定画面において、ユーザがリモコン２のクリアキーを操作した場合、制御部１０は、上述した設定処理を行なわずに処理を終了する。
【００３９】
ここで、本実施形態１における設定画面は、図３に示したように、各表示モードに対応して信号処理の情報を表示させる際に、それぞれの信号処理に対応して、それぞれの信号処理を実行しない場合に映像信号に基づく映像が表示部１９に表示されるまでに短縮できる時間（短縮時間）を示す情報、具体的には、それぞれの信号処理に要する時間も表示する。なお、各信号処理に対応する短縮時間は予めＲＯＭ１１に格納されている。これにより、ユーザは、各信号処理を実行させないことによって短縮される時間を容易に把握することができ、このような情報に基づいて、実行すべき信号処理を選択できるので、実行すべき信号処理を容易に選択することができると共に、選択した信号処理を行なうことによって生じる遅延時間を容易に把握することができる。
【００４０】
以下に、本実施形態１のテレビジョン装置１において、図３に示す設定画面を介して、映像信号処理部３が備える３次元Ｙ／Ｃ分離回路３２、倍速回路３４及びスケーラ回路３６のうちで、いずれの回路を動作させるか否かを設定する処理についてフローチャートを参照しながら説明する。図４はテレビジョン装置１による設定処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００４１】
テレビジョン装置１のユーザは、映像信号処理部３が備える３次元Ｙ／Ｃ分離回路３２、倍速回路３４及びスケーラ回路３６のうちで、動作させるべき回路を設定したい場合、操作部１３又はリモコン２を適切に操作する。これにより、制御部１０は、ＲＯＭ１１に格納されているメニュー画像に基づいて、図３に示すような設定画面を表示部１９に表示させる（Ｓ１）。
【００４２】
制御部１０は、図３に示す設定画面において、ユーザがリモコン２の上下キーを操作したか否かを判断しており（Ｓ２）、上下キーを操作したと判断した場合（Ｓ２：ＹＥＳ）、選択中の表示モードを変更し（Ｓ３）、現在選択中の表示モードの左側に「⇒」を表示させる。ユーザが上下キーを操作していない場合（Ｓ２：ＮＯ）、制御部１０は、ステップＳ３の処理をスキップする。
【００４３】
制御部１０は、設定画面において表示モードが選択されている場合、ユーザがリモコン２の右キーを操作したか否かを判断しており（Ｓ４）、右キーを操作したと判断した場合（Ｓ４：ＹＥＳ）、信号処理（倍速、３次元Ｙ／Ｃ、スケーリング）の情報を表示する（Ｓ５）。ユーザが右キーを操作していない場合（Ｓ４：ＮＯ）、制御部１０はステップＳ２へ処理を戻す。
【００４４】
制御部１０は、設定画面において信号処理の情報が表示されている場合、ユーザがリモコン２の上下キーを操作したか否かを判断しており（Ｓ６）、上下キーを操作したと判断した場合（Ｓ６：ＹＥＳ）、選択中の信号処理を変更し（Ｓ７）、現在選択中の信号処理の左側に「⇒」を表示させる。ユーザが上下キーを操作していない場合（Ｓ６：ＮＯ）、制御部１０はステップＳ７の処理をスキップする。
【００４５】
制御部１０は、設定画面において任意の信号処理が選択されている場合、ユーザがリモコン２の左右キーを操作したか否かを判断しており（Ｓ８）、左右キーを操作したと判断した場合（Ｓ８：ＹＥＳ）、選択中の信号処理に対応する「ＯＮ」及び「ＯＦＦ」を順次変更する（Ｓ９）。ユーザが左右キーを操作していない場合（Ｓ８：ＮＯ）、制御部１０はステップＳ９の処理をスキップする。
【００４６】
制御部１０は、設定画面において信号処理の情報が表示されている場合、ユーザがリモコン２の決定キーを操作したか否かを判断しており（Ｓ１０）、決定キーを操作したと判断した場合（Ｓ１０：ＹＥＳ）、設定画面を介して設定された情報を、以降の映像信号処理の際の設定情報としてＲＡＭ１２に記憶させ（Ｓ１１）、処理を終了する。ユーザが決定キーを操作していない場合（Ｓ１０：ＮＯ）、制御部１０は、ユーザがクリアキーを操作したか否かを判断し（Ｓ１２）、クリアキーを操作したと判断した場合（Ｓ１２：ＹＥＳ）、ステップＳ１１の処理をスキップして上述した設定処理を終了する。ユーザがクリアキーを操作していない場合（Ｓ１２：ＮＯ）、制御部１０はステップＳ６へ処理を戻す。
【００４７】
上述した処理により、各表示モードに対応して、倍速処理、３次元Ｙ／Ｃ分離処理及びスケーリング処理のうちのいずれの処理を実行させるか否かを設定することができる。各表示モードに対応して、映像信号処理部３が備える３次元Ｙ／Ｃ分離回路３２、倍速回路３４及びスケーラ回路３６のうちで動作させる回路を示す設定情報がＲＡＭ１２に登録されたテレビジョン装置１において、ユーザが表示モードを指定し、テレビジョン装置１に接続された外部の装置から出力される映像信号、又はデジタルチューナ１６が取得した放送信号をテレビジョン装置１に表示させる指示を行なった場合、制御部（制御手段）１０は、ＲＡＭ１２に格納してある設定情報に基づいて、表示モードに対応して実行すべき信号処理を把握し、実行すべき信号処理、具体的には、「ＯＮ」が設定してある信号処理を実行させるように映像信号処理部３の各回路を制御する。
【００４８】
以下に、本実施形態１のテレビジョン装置１において、制御部１０が、各表示モードに対応して設定された設定情報に基づいて映像信号処理部３の各回路を制御する処理についてフローチャートを参照しながら説明する。図５は映像信号処理部３に対する制御処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００４９】
テレビジョン装置１の制御部１０は、ユーザがリモコン２又は操作部１３を操作し、外部の装置から送出される映像信号に基づく映像又は放送信号に含まれる映像信号に基づく映像を表示部１９に表示させる指示をした場合、ユーザからの指定又は設定に基づいて、映像を表示させる際の表示モードを特定する（Ｓ２１）。制御部１０は、特定した表示モードに対応してＲＡＭ１２に記憶してある設定情報を読み出し（Ｓ２２）、設定情報に基づいて、映像信号処理部３の３次元Ｙ／Ｃ分離回路３２による３次元Ｙ／Ｃ分離処理がＯＮに設定されているか否かを判断する（Ｓ２３）。
【００５０】
制御部１０は、３次元Ｙ／Ｃ分離処理がＯＮに設定されている場合（Ｓ２３：ＹＥＳ）、映像信号処理部３の第１スイッチ回路３１を制御し、第１スイッチ回路３１を３次元Ｙ／Ｃ分離回路３２に接続させ（Ｓ２４）、３次元Ｙ／Ｃ分離処理がＯＮに設定されていない場合（Ｓ２３：ＮＯ）、映像信号処理部３の第１スイッチ回路３１を制御し、第１スイッチ回路３１を第２スイッチ回路３３に接続させる（Ｓ２５）。
【００５１】
制御部１０は、設定情報に基づいて、映像信号処理部３の倍速回路３４による倍速処理がＯＮに設定されているか否かを判断し（Ｓ２６）、倍速処理がＯＮに設定されている場合（Ｓ２６：ＹＥＳ）、第２スイッチ回路３３を制御し、第２スイッチ回路３３を倍速回路３４に接続させ（Ｓ２７）、倍速処理がＯＮに設定されていない場合（Ｓ２６：ＮＯ）、第２スイッチ回路３３を第３スイッチ回路３５に接続させる（Ｓ２８）。
【００５２】
制御部１０は、設定情報に基づいて、映像信号処理部３のスケーラ回路３６によるスケーリング処理がＯＮに設定されているか否かを判断し（Ｓ２９）、スケーリング処理がＯＮに設定されている場合（Ｓ２９：ＹＥＳ）、第３スイッチ回路３５を制御し、第３スイッチ回路３５をスケーラ回路３６に接続させ（Ｓ３０）、スケーリング処理がＯＮに設定されていない場合（Ｓ２９：ＮＯ）、第３スイッチ回路３５を出力部３７に接続させる（Ｓ３１）。
【００５３】
上述した処理により、各表示モードに対応してユーザが実行すべきであると設定した信号処理を映像信号に対して実行することができ、所望の信号処理が実行された映像信号に基づく映像を表示部１９に表示させることができる。従って、例えば、高画質の映像を表示部１９に表示させたい場合には、映像信号処理部３の３次元Ｙ／Ｃ分離回路３２及び倍速回路３４を実行すべき信号処理に設定しておけばよく、映像を表示部１９に表示させるまでに要する時間を短縮したい場合には、映像信号処理部３の３次元Ｙ／Ｃ分離回路３２及び倍速回路３４を実行させない信号処理に設定しておけばよい。
【００５４】
図３に示した設定画面では、各信号処理に対応する短縮時間を時間で示したが、このような形態に限られない。図６は設定画面の変形例を示す模式図である。図６（ａ）に示す設定画面は、各信号処理の短縮時間を所定の指標としてフレーム数で表示している。本実施形態１の映像信号は１秒あたり６０枚の映像フレームにより構成されるので、例えば４フレームは、４／６０秒を示している。なお、所定の指標はフレーム数に限られず、ユーザが把握しやすい指標を用いればよい。
【００５５】
また、図６（ｂ）に示す設定画面は、各信号処理の短縮時間をフレーム数によって表示すると共に棒グラフによって表示している。これにより、ユーザは、各信号処理を実行させないことによって短縮される時間を視覚的に容易に把握することができる。なお、各信号処理の短縮時間は、図６（ｂ）に示すような棒グラフだけでなく、短縮時間を容易に把握できるものであれば、例えば、マーク、図表等によって表示してもよい。更に、各信号処理に対応する短縮時間だけでなく、実行すべき処理として「ＯＦＦ」が選択されている各信号処理に対応する短縮時間の合計時間を表示するようにしてもよい。この場合、ユーザは、短縮時間の合計時間を考慮しつつ、実行させるべき処理を選択することができる。
【００５６】
（実施形態２）
以下に、本発明に係る映像表示処理装置を、実施形態２であるテレビジョン装置を示す図面に基づいて詳述する。なお、本実施形態２のテレビジョン装置は、上述した実施形態１のテレビジョン装置１と同様の構成であるので、構成についての説明は省略する。
【００５７】
上述した実施形態１のテレビジョン装置１は、図３に示すような設定画面においてユーザがリモコン２の決定キーを操作した場合、設定画面を介して設定された情報を、各表示モードに対応して既にＲＡＭ１２に記憶してある情報、即ち前回設定された情報を更新してＲＡＭ１２に格納していた。
【００５８】
本実施形態２のテレビジョン装置１は、図３に示すような設定画面においてユーザがリモコン２の決定キーを操作した場合、設定画面を介して設定された情報と、既にＲＡＭ１２に格納してある設定情報、即ち、前回設定された情報（現在の設定情報）とに基づいて、それぞれの情報において実行するように設定された信号処理を映像信号に実行し、得られた映像信号に基づく映像を同時に表示部１９に表示させる。ユーザは、同時に表示された２つの映像に基づいて、設定画面を介して設定した内容を登録するか、現在設定されている内容を維持するかを選択する。そして、ユーザが、設定画面を介して設定した内容を登録すると判断した場合、制御部１０は、設定画面を介して設定された設定情報を、以降の処理に用いる設定情報としてＲＡＭ１２に格納する。
【００５９】
具体的には、本実施形態２のテレビジョン装置１は、図３に示す設定画面において、ユーザがリモコン２の決定キーを操作した場合、制御部１０は、ＲＯＭ１１に格納されているメニュー画像を読み出し、読み出したメニュー画像に基づく比較画面を表示部１９に表示させる。
【００６０】
図７は比較画面の構成例を示す模式図である。図７に示す比較画面は、既にＲＡＭ１２に格納してある設定情報に基づく信号処理、即ち現在の設定情報に従った信号処理が実行された映像信号に基づく映像を表示するための表示領域が左側に表示され、図３に示す設定画面を介して設定された設定情報に基づく信号処理、即ち、変更後の設定情報に従った信号処理を行なわれた映像信号に基づく映像を表示するための表示領域が右側に表示される。図７（ａ）に示す画面において、ユーザがリモコン２の決定キーを操作した場合、制御部１０は、予めＲＯＭ１１に格納されているテスト用の映像信号を読み出して映像信号処理部３へ入力し、この映像信号に対して、現在の設定情報に従った信号処理及び変更後の設定情報に従った信号処理を並列に実行する。
【００６１】
これにより、図７（ｂ）に示すように、現在の設定情報及び変更後の設定情報のそれぞれに従った信号処理が実行された映像信号に基づく映像を同時に表示部１９に表示させることができる。図７（ｂ）に示す画面において、ユーザがリモコン２のクリアキーを操作した場合、制御部１０は、映像信号処理部３による信号処理を終了し、図７（ｃ）に示す画面を表示部１９に表示させる。
【００６２】
図７（ｃ）に示す画面は、設定画面を介して設定された情報（変更後の設定情報）をＲＡＭ１２に登録すべきか否かの選択を受け付ける画面であり、図７（ｃ）に示す画面において、ユーザがリモコン２の決定キーを操作した場合、制御部１０は、ＲＡＭ１２に格納してある登録情報を、設定画面を介して設定された情報（変更後の設定情報）に更新する。なお、図７（ｃ）に示す画面において、ユーザがリモコン２のクリアキーを操作した場合、制御部１０は、上述した設定処理を行なわずに終了する。
【００６３】
これにより、各表示モードに対応してユーザが選択した信号処理を、実行すべき信号処理に設定することができる。また、実行すべき信号処理に設定する際に、現在の設定に従った信号処理を実行された映像信号に基づく映像と、変更後の設定に従った信号処理を実行された映像信号に基づく映像とを同時に表示することにより、ユーザは、設定画面を介して設定した内容で更新すべきか否かを視覚的に判断することができる。
【００６４】
以下に、本実施形態２のテレビジョン装置１において、図３に示す設定画面を介して、映像信号処理部３が備える３次元Ｙ／Ｃ分離回路３２、倍速回路３４及びスケーラ回路３６のうちで、いずれの回路を動作させるか否かを設定する処理についてフローチャートを参照しながら説明する。図８及び図９はテレビジョン装置１による設定処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００６５】
テレビジョン装置１のユーザは、映像信号処理部３が備える３次元Ｙ／Ｃ分離回路３２、倍速回路３４及びスケーラ回路３６のうちで、動作させるべき回路を設定したい場合、操作部１３又はリモコン２を適切に操作する。これにより、制御部１０は、ＲＯＭ１１に格納されているメニュー画像に基づいて、図３に示すような設定画面を表示部１９に表示させる（Ｓ４１）。
【００６６】
制御部１０は、図３に示す設定画面において、ユーザがリモコン２の決定キーを操作したか否かを判断しており（Ｓ４２）、決定キーを操作していない場合（Ｓ４２：ＮＯ）、そのまま待機する。ユーザが決定キーを操作したと判断した場合（Ｓ４２：ＹＥＳ）、制御部１０は、設定画面を介して設定された情報（変更後の設定情報）をＲＡＭ１２に一旦記憶させ（Ｓ４３）、ＲＯＭ１１に格納されているメニュー画像に基づいて、図７（ａ）に示す比較画面を表示部１９に表示させる（Ｓ４４）。
【００６７】
制御部１０は、図７（ａ）に示す比較画面において、ユーザがリモコン２の決定キーを操作したか否かを判断しており（Ｓ４５）、決定キーを操作したと判断した場合（Ｓ４５：ＹＥＳ）、ＲＯＭ１１に格納してあるテスト用の映像信号をＲＡＭ１２に読み出す（Ｓ４６）。なお、ユーザが決定キーを操作していない場合（Ｓ４５：ＮＯ）、即ち、図７（ａ）に示す比較画面においてユーザがクリアキーを操作した場合、制御部１０は、上述した処理を終了する。
【００６８】
制御部１０は、ＲＡＭ１２に読み出したテスト用の映像信号を順次映像信号処理部３へ入力し、映像信号処理部３によって、ＲＡＭ１２に格納してある現在の設定情報に基づく信号処理を実行する（Ｓ４７）。そして、制御部１０は、映像信号処理部３で処理された映像信号を順次表示インタフェース１８へ送出し、この映像信号に基づく映像を表示部１９に表示させる（Ｓ４８）。一方、制御部１０は、映像信号処理部３によって、ＲＡＭ１２に一旦記憶させた変更後の設定情報に基づく信号処理を実行し（Ｓ４９）、処理された映像信号を順次表示インタフェース１８へ送出し、この映像信号に基づく映像を表示部１９に表示させる（Ｓ５０）。なお、制御部１０は、ステップＳ４７，Ｓ４８の処理と、ステップＳ４９，Ｓ５０の処理とを並列に実行する。
【００６９】
これにより、図７（ｂ）に示すような比較画面が表示部１９に表示され、制御部１０は、図７（ｂ）に示す画面において、ユーザがリモコン２のクリアキーを操作したか否かを判断する（Ｓ５１）。ユーザがクリアキーを操作していない場合（Ｓ５１：ＮＯ）、制御部１は、ステップＳ４６へ処理を戻し、ＲＯＭ１１に格納してあるテスト用の映像信号をＲＡＭ１２に読み出す（Ｓ４６）と共に映像信号処理部３へ入力し、ステップＳ４７〜Ｓ５０の処理を繰り返す。
【００７０】
図７（ｂ）に示す画面においてユーザがクリアキーを操作したと判断した場合（Ｓ５１：ＹＥＳ）、制御部１０は、映像信号処理部３による信号処理を終了し（Ｓ５２）、図７（ｃ）に示すような比較画面を表示部１９に表示させる（Ｓ５３）。制御部１０は、図７（ｃ）に示す画面において、ユーザがリモコン２の決定キーを操作したか否かを判断しており（Ｓ５４）、決定キーを操作したと判断した場合（Ｓ５４：ＹＥＳ）、ＲＡＭ１２に格納してある現在の設定情報を、設定画面を介して設定された変更後の設定情報に更新し（Ｓ５５）、処理を終了する。なお、ユーザが決定キーを操作していない場合（Ｓ５４：ＮＯ）、即ち、図７（ｃ）に示す比較画面においてユーザがクリアキーを操作した場合、制御部１０は、ステップＳ５５の処理をスキップし、上述した処理を終了する。
【００７１】
（実施形態３）
以下に、本発明に係る映像表示処理装置を、実施形態３であるテレビジョン装置を示す図面に基づいて詳述する。なお、本実施形態３のテレビジョン装置は、上述した実施形態１のテレビジョン装置１と同様の構成であるので、構成についての説明は省略する。
【００７２】
上述した実施形態２のテレビジョン装置１は、図３に示すような設定画面を介して設定された情報をＲＡＭ１２に登録する際に、現在の設定情報と、変更後の設定情報とにおいて、実行するように設定された信号処理を映像信号に実行し、処理した映像信号に基づく映像を同時に表示部１９に表示させることにより、設定情報を変更する前後において表示映像の相異をユーザが把握できるように構成されていた。
【００７３】
本実施形態３のテレビジョン装置１は、ユーザがテレビジョン装置１によって映像を視聴する際に、各表示モード（ＤＹＮＡＭＩＣ、ＳＴＡＮＤＡＲＤ、ＭＯＶＩＥ、ＧＡＭＥ）毎に、各表示モードに対応する設定情報において実行するように設定された信号処理を映像信号に実行し、得られた映像信号に基づく複数（本実施形態３では４つ）の映像を同時に表示部１９に表示させる。そして、ユーザは、同時に表示された４つの映像に基づいて、いずれの表示モードで映像を表示させるかを選択する。
【００７４】
具体的には、本実施形態３のテレビジョン装置１は、ユーザがリモコン２を操作して表示部１９に表示される映像の表示モードを選択する指示をした場合、制御部１０は、ＲＯＭ１１に格納されているメニュー画像を読み出し、読み出したメニュー画像に基づいて、図１０に示すような比較画面を表示部１９に表示させる。
【００７５】
図１０は比較画面の構成例を示す模式図である。図１０に示す比較画面は、それぞれの表示モード（表示条件）に対応してＲＡＭ（条件記憶手段）１２に格納してある設定情報に基づく信号処理が実行された映像信号に基づく映像をそれぞれ表示するための表示領域が４つ表示されている。なお、図１０においては、左上に表示モードが「ＤＹＮＡＭＩＣ」に対応する設定情報に基づく信号処理が行なわれた映像が表示されており、右上に表示モードが「ＳＴＡＮＤＡＲＤ」に対応する設定情報に基づく信号処理が行なわれた映像が表示されており、左下に表示モードが「ＭＯＶＩＥ」に対応する設定情報に基づく信号処理が行なわれた映像が表示されており、右下に表示モードが「ＧＡＭＥ」に対応する設定情報に基づく信号処理が行なわれた映像が表示されている。
【００７６】
図１０（ａ）に示す画面において、ユーザがリモコン２の決定キーを操作した場合、制御部１０は、予めＲＯＭ１１に格納されているテスト用の映像信号を読み出して映像信号処理部３へ入力し、この映像信号に対して、表示モードのそれぞれに対応する設定情報に従った信号処理を並列に実行する。これにより、図１０（ｂ）に示すように、ＤＹＮＡＭＩＣ、ＳＴＡＮＤＡＲＤ、ＭＯＶＩＥ、ＧＡＭＥのそれぞれの表示モードに対応する設定情報に従った信号処理が実行された映像信号に基づく映像を同時に表示部１９に表示させることができる。図１０（ｂ）に示す画面において、ユーザがリモコン２のクリアキーを操作した場合、制御部１０は、映像信号処理部３による信号処理を終了し、図１０（ｃ）に示す画面を表示部１９に表示させる。
【００７７】
図１０（ｃ）に示す画面は、映像を表示する際の表示モードの選択を受け付ける画面であり、図１０（ｃ）に示す画面において、ユーザは、リモコン２の上下キー及び左右キーを操作することにより、各表示モードによって表示された映像を選択することができる。また、図１０（ｃ）に示す画面において、ユーザがリモコン２の決定キーを操作した場合、制御部（選択手段）１０は、ユーザによる選択に従って１つの表示モードを選択し、選択した表示モードをＲＡＭ１２に格納し、これ以降に映像を表示する際の表示モードに設定する。なお、図１０（ｃ）は「ＤＹＮＡＭＩＣ」の表示モードが選択されている状態を示している。図１０（ｃ）に示す画面において、ユーザがリモコン２のクリアキーを操作した場合、制御部１０は、上述した設定処理を行なわずに終了する。
【００７８】
これにより、テレビジョン装置１を用いて映像を視聴したいユーザは、所望の表示モードを選択することにより、各表示モードに対応して予め設定された設定情報から所望の設定情報を選択することができ、映像信号に対して所望の信号処理を実行させることができる。また、ユーザは、表示部１９に表示された比較画面に基づいて、高画質の映像を視聴したいか、信号処理に要する時間をより短縮させたいか等に応じて所望の表示モードを容易に選択することができる。
【００７９】
以下に、本実施形態３のテレビジョン装置１において、図１０に示す比較画面を介して、所望の設定条件（表示モード）を選択する処理についてフローチャートを参照しながら説明する。図１１及び図１２はテレビジョン装置１による表示モードの設定処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００８０】
テレビジョン装置１のユーザは、４つの表示モードから１つを選択して以降の表示処理の際の表示モードに設定したい場合、操作部１３又はリモコン２を適切に操作する。これにより、制御部１０は、ＲＯＭ１１に格納されているメニュー画像に基づいて、図１０（ａ）に示すような比較画面を表示部１９に表示させる（Ｓ６１）。
【００８１】
制御部１０は、図１０（ａ）に示す設定画面において、ユーザがリモコン２の決定キーを操作したか否かを判断しており（Ｓ６２）、決定キーを操作していない場合（Ｓ６２：ＮＯ）、即ち、図１０（ａ）に示す比較画面においてユーザがクリアキーを操作した場合、処理を終了する。ユーザが決定キーを操作したと判断した場合（Ｓ６２：ＹＥＳ）、制御部１０は、ＲＯＭ１１に格納してあるテスト用の映像信号をＲＡＭ１２に読み出す（Ｓ６３）。
【００８２】
制御部１０は、ＲＡＭ１２に読み出したテスト用の映像信号を順次映像信号処理部３へ入力し、映像信号処理部３によって、表示モードがＤＹＮＡＭＩＣに対応してＲＡＭ１２に格納してある設定情報に基づく信号処理を実行する（Ｓ６４）。そして、制御部１０は、映像信号処理部３で処理された映像信号を順次表示インタフェース１８へ送出し、この映像信号に基づく映像を表示部１９に表示させる（Ｓ６５）。
【００８３】
一方、制御部１０は、映像信号処理部３によって、表示モードがＳＴＡＮＤＡＲＤに対応してＲＡＭ１２に格納してある設定情報に基づく信号処理を実行し（Ｓ６６）、処理された映像信号を順次表示インタフェース１８へ送出し、この映像信号に基づく映像を表示部１９に表示させる（Ｓ６７）。また、制御部１０は、映像信号処理部３によって、表示モードがＭＯＶＩＥに対応してＲＡＭ１２に格納してある設定情報に基づく信号処理を実行し（Ｓ６８）、処理された映像信号を順次表示インタフェース１８へ送出し、この映像信号に基づく映像を表示部１９に表示させる（Ｓ６９）。
【００８４】
更に、制御部１０は、映像信号処理部３によって、表示モードがＧＡＭＥに対応してＲＡＭ１２に格納してある設定情報に基づく信号処理を実行し（Ｓ７０）、処理された映像信号を順次表示インタフェース１８へ送出し、この映像信号に基づく映像を表示部１９に表示させる（Ｓ７１）。なお、制御部１０は、ステップＳ６４，Ｓ６５の処理と、ステップＳ６６，Ｓ６７の処理と、ステップＳ６８，Ｓ６９の処理と、ステップＳ７０，Ｓ７１の処理とを並列に実行する。
【００８５】
これにより、図１０（ｂ）に示すような比較画面が表示部１９に表示され、制御部１０は、図１０（ｂ）に示す画面において、ユーザがリモコン２のクリアキーを操作したか否かを判断する（Ｓ７２）。ユーザがクリアキーを操作していない場合（Ｓ７２：ＮＯ）、制御部１は、ステップＳ６３へ処理を戻し、ＲＯＭ１１に格納してあるテスト用の映像信号をＲＡＭ１２に読み出す（Ｓ６３）と共に映像信号処理部３へ入力し、ステップＳ６４〜Ｓ７１の処理を繰り返す。
【００８６】
図１０（ｂ）に示す画面においてユーザがクリアキーを操作したと判断した場合（Ｓ７２：ＹＥＳ）、制御部１０は、映像信号処理部３による信号処理を終了し（Ｓ７３）、図１０（ｃ）に示すような比較画面を表示部１９に表示させる（Ｓ７４）。制御部１０は、図１０（ｃ）に示す画面において、ユーザがリモコン２の決定キーを操作したか否かを判断しており（Ｓ７５）、決定キーを操作したと判断した場合（Ｓ７５：ＹＥＳ）、図１０（ｃ）に示す比較画面において選択された表示モードを、これ以降に映像を表示する際の表示モードに設定し（Ｓ７６）、処理を終了する。
【００８７】
なお、ユーザが決定キーを操作していない場合（Ｓ７５：ＮＯ）、即ち、図１０（ｃ）に示す比較画面においてユーザがクリアキーを操作した場合、制御部１０は、ステップＳ７６の処理をスキップし、上述した処理を終了する。
【００８８】
上述した実施形態２では、各表示モードに応じて実行すべき信号処理を任意に選択することができ、上述した実施形態３では、各表示モードを選択することによってそれぞれの表示モードに対応して、実行すべきであると設定した信号処理を実行させることができる。更に、予め用意されている表示モードだけでなく、ユーザ設定として、映像信号処理部３が備える３次元Ｙ／Ｃ分離回路３２、倍速回路３４及びスケーラ回路３６のうちで、動作させるべき回路を任意に設定できるように構成することも可能である。
【００８９】
図１３は設定画面の変形例を示す模式図である。図１３に示す設定画面は、４つの表示モード（ＤＹＮＡＭＩＣ、ＳＴＡＮＤＡＲＤ、ＭＯＶＩＥ、ＧＡＭＥ）と、それぞれの設定情報を識別するための識別情報として、ユーザ１、ユーザ２、ユーザ３とが表示されている。図１３に示す設定画面は、図３に示す設定画面と同様に、ユーザがリモコン２の上下キーを操作することによって、各表示モード及び各識別情報を選択することができ、各表示モード及び各識別情報のそれぞれに対応して、３つの信号処理のそれぞれを動作させるか否かを設定することができる。
【００９０】
このように、予め用意されている表示モードだけでなく、各ユーザ毎の識別情報に対応して設定情報を登録しておくことにより、各ユーザは、テレビジョン装置１を用いて映像を視聴する際に、自身が登録した識別情報を選択することにより、自身が予め実行すべきであると設定した信号処理を映像信号に対して実行することができ、所望の信号処理が実行された映像信号に基づく映像を表示部１９に表示させることができる。
【００９１】
（実施形態４）
以下に、本発明に係る映像表示処理装置を、実施形態４であるテレビジョン装置を示す図面に基づいて詳述する。なお、本実施形態４のテレビジョン装置は、上述した実施形態１のテレビジョン装置１と同様の構成であるので、構成についての説明は省略する。
【００９２】
上述した実施形態１〜３のテレビジョン装置１は、各表示モード又は各識別情報に対応して予め設定情報が設定されており、ユーザがいずれかの表示モード又はいずれかの識別情報を選択し、選択された表示モード又は識別情報に対応する設定情報に基づいて、実行すべきであると設定された信号処理を実行させる構成であった。
【００９３】
本実施形態４のテレビジョン装置１は、４つの表示モードに対応して設定情報が予め設定されており、表示部１９に表示すべく入力された映像信号に基づいていずれかの表示モードを選択し、選択された表示モードに対応する設定情報に基づいて、実行すべきであると設定された信号処理を実行させる構成である。
【００９４】
ここで、アナログアンテナ１５ａ又はデジタルアンテナ１６ａが受信する電波には、放送信号に係る電波のほかに、各放送局が放送する放送番組のジャンル、放送チャンネル、放送開始日時及び放送終了日時等を示す番組情報を含むＥＰＧ（電子番組表）信号に係る電波が定期的に含まれる。従って、制御部１０は、アナログチューナ１５又はデジタルチューナ１６によって取得した放送信号のジャンルを、アナログアンテナ１５ａ又はデジタルアンテナ１６ａで受信したＥＰＧ信号に基づいて検出することができる。
【００９５】
本実施形態４のテレビジョン装置１は、アナログチューナ１５又はデジタルチューナ１６によって取得した放送信号に基づく映像を表示部１９に表示させる際に、放送信号のジャンルに応じた表示モードを特定する。そして、テレビジョン装置１は、特定した表示モードに対応する設定情報において実行するように設定された信号処理を映像信号に実行し、得られた映像信号に基づく映像を表示部１９に表示させる。
【００９６】
なお、放送信号のジャンルとしては、映画、スポーツ、音楽、ドラマ、アニメ、エンターテイメント、ニュース等があり、本実施形態４のテレビジョン装置１では、例えば、ジャンルが音楽、アニメである放送信号に対してはＤＹＮＡＭＩＣを表示モードとし、ジャンルがスポーツ、ドラマ、ニュースである放送信号に対してはＳＴＡＮＤＡＲＤを表示モードとし、ジャンルが映画である放送信号に対してはＭＯＶＩＥを表示モードとし、ジャンルがエンターテイメントである放送信号に対してはＧＡＭＥを表示モードとする。なお、ジャンルと表示モードとの対応は、予めＲＡＭ１２に記憶されているが、これらの対応に限られず、また、ユーザによって変更できるようにしてもよい。
【００９７】
また、テレビジョン装置１を、デジタル映像信号入力部１７を介して外部の装置から入力された映像信号の種類を検出するように構成し、検出した種類に応じた表示モードに対応する設定情報において実行するように設定された信号処理を映像信号に実行し、得られた映像信号に基づく映像を表示部１９に表示させるようにしてもよい。
【００９８】
このような構成により、本実施形態４のテレビジョン装置１は、例えば、高画質で映像を表示部１９に表示させたい放送信号については、放送信号のジャンルに対応させて、映像信号処理部３の３次元Ｙ／Ｃ分離回路３２及び倍速回路３４を実行すべき信号処理とする設定情報をＲＡＭ１２に登録しておけばよい。また、映像を表示部１９に表示させるまでに要する時間をより短縮したい放送信号については、放送信号のジャンルに対応させて、映像信号処理部３の３次元Ｙ／Ｃ分離回路３２及び倍速回路３４を実行させないとする設定情報をＲＡＭ１２に登録しておけばよい。
【００９９】
以下に、本実施形態４のテレビジョン装置１において、放送信号のジャンルに基づいて表示モード（設定条件）を選択する処理についてフローチャートを参照しながら説明する。図１４はテレビジョン装置１による表示モードの設定処理の手順を示すフローチャートである。なお、以下に示す処理手順は一例であってこれに限られるものではない。また、以下の処理は、ＲＯＭ１１に予め格納してある制御プログラムに従って制御部１０が実行する。
【０１００】
テレビジョン装置１のユーザがリモコン２又は操作部１３を介して放送信号に基づく映像の視聴を指示した場合、制御部１０は、デジタルチューナ１６によって放送信号を取得する（Ｓ８１）。ここで、デジタルチューナ１６によって取得される放送信号は映像信号及び音声信号を含むが、以下では、映像信号についてのみ説明する。
【０１０１】
制御部１０は、取得した放送信号に含まれる映像信号を映像信号処理部３へ送出し、この時点で設定されている表示モードに対応する設定情報に従って、映像信号処理部３の３次元Ｙ／Ｃ分離回路３２、倍速回路３４及びスケーラ回路３６のうちの実行すべき回路による信号処理を実行し（Ｓ８２）、処理した映像信号に基づく映像を表示部１９に表示させる（Ｓ８３）。
【０１０２】
制御部１０は、デジタルチューナ１６によってＥＰＧ信号を取得したか否かを判断しており（Ｓ８４）、取得していない場合（Ｓ８４：ＮＯ）、ステップＳ８１へ処理を戻し、デジタルチューナ１６によって順次取得する放送信号に、所定の信号処理を継続する（Ｓ８２）。デジタルチューナ１６によってＥＰＧ信号を取得したと判断した場合（Ｓ８４：ＹＥＳ）、制御部１０は、取得したＥＰＧ信号に基づいて、ステップＳ８１で取得する放送信号のジャンルを検出する（Ｓ８５）。
【０１０３】
制御部１０は、検出したジャンルに対応してＲＡＭ１２に登録してある表示モードを特定し（Ｓ８６）、この時点で設定されている表示モードを、特定した表示モードに変更する必要があるか否かを判断する（Ｓ８７）。具体的には、特定した表示モードが、この時点で設定されている表示モードに一致するか否かを判断し、一致しない場合、特定した表示モードに変更する必要があると判断する。
【０１０４】
制御部１０は、特定した表示モードに変更する必要があると判断した場合（Ｓ８７：ＹＥＳ）、特定した表示モードを、これ以降の表示処理の際の表示モードに設定し（Ｓ８８）、特定した表示モードに変更する必要がないと判断した場合（Ｓ８７：ＮＯ）、ステップＳ８８の処理をスキップする。制御部１０は、ユーザがリモコン２又は操作部１３を操作して放送信号に基づく映像の表示処理の終了が指示されたか否かを判断し（Ｓ８９）、表示処理の終了が指示された場合（Ｓ８９：ＹＥＳ）、上述した処理を終了し、表示処理の終了が指示されていない場合（Ｓ８９：ＮＯ）、ステップＳ８１へ処理を戻し、デジタルチューナ１６によって放送信号を順次取得する（Ｓ８１）。
【０１０５】
そして、制御部１０は、取得した放送信号に含まれる映像信号を映像信号処理部３へ送出し、ステップＳ８７で設定した表示モードに対応する設定情報に従って、映像信号処理部３の３次元Ｙ／Ｃ分離回路３２、倍速回路３４及びスケーラ回路３６のうちの実行すべき回路による信号処理を実行し（Ｓ８２）、処理した映像信号に基づく映像を表示部１９に表示させる（Ｓ８３）。
【０１０６】
このような処理により、制御部１０は、デジタルチューナ１６によってＥＰＧ信号を取得する都度、上述した処理によって表示モードの設定を行ない、デジタルチューナ１６によって順次取得する放送信号に対して、放送信号の受信時点で設定されている表示モードに対応する設定情報に従って、映像信号処理部３の３次元Ｙ／Ｃ分離回路３２、倍速回路３４及びスケーラ回路３６のうちのいずれかの回路による信号処理を実行させる。これにより、テレビジョン装置１が表示部１９に表示させるために取得した映像信号の種類に応じた表示モードでの映像の表示処理が可能となり、映像信号の種類に応じて、例えば高画質の映像の表示処理、又は高速な映像の表示処理等が可能となる。
【０１０７】
（実施形態５）
以下に、本発明に係る映像表示処理装置を、実施形態５であるテレビジョン装置を示す図面に基づいて詳述する。なお、本実施形態５のテレビジョン装置は、上述した実施形態１のテレビジョン装置１と同様の構成であるので、構成についての説明は省略する。
【０１０８】
上述した実施形態１〜４では、表示部１９に表示される映像信号に対する信号処理について説明した。以下の本実施形態５では、映像信号処理部３によって映像信号処理された映像信号に基づく映像の出力タイミングと、音声信号処理部２１によって音声信号処理された音声信号に基づく音声の出力タイミングとの関係を考慮した処理について説明する。
【０１０９】
本実施形態５のテレビジョン装置１は、図３に示す設定画面において、ユーザがリモコン２の決定キーを操作した場合、制御部１０は、ＲＯＭ１１に格納されているメニュー画像を読み出し、読み出したメニュー画像に基づいて、図１５（ａ）に示すような音声タイミング設定画面を表示部１９に表示させる。
【０１１０】
図１５は音声タイミング設定画面及びテスト画面の構成例を示す模式図である。図１５（ａ）に示す音声タイミング設定画面は、時間を示す時間軸を表示しており、この時間軸に対して、図３に示す設定画面を介して設定された設定情報に基づいて映像信号処理された映像信号、具体的には、映像信号処理部３の３次元Ｙ／Ｃ分離回路３２、倍速回路３４及びスケーラ回路３６のうちで実行すべきであると設定された回路による信号処理が実行された映像信号に基づく映像を表示部１９に表示させる表示（出力）タイミングを「▼」で示している。なお、設定情報に応じて映像信号処理部３において実行すべき回路が決定されるので、テレビジョン装置１に映像信号が入力されてから、この映像信号に基づく映像が表示部１９に表示される表示タイミング（出力タイミング）は、設定情報に応じて特定される。
【０１１１】
本実施形態５のテレビジョン装置１では、ユーザは、映像の表示タイミングに対して、音声信号処理された音声信号に基づく音声がスピーカ２２から出力される出力タイミングを設定することができる。具体的には、図１５（ａ）に示す音声タイミング設定画面において、ユーザがリモコン２の左右キーを操作することにより、音声の出力タイミングを時間軸に対して左右方向に変更させることができる。
【０１１２】
映像及び音声の出力タイミングは本来一致していることが望ましい。しかし、例えば高画質の映像の表示を要求する場合、高画質を実現するために映像信号処理部３の各回路による映像信号処理を実行させる必要があり、映像を表示部１９に表示させるまでに長い時間を要する。一方、音声信号に対して行なう音声信号処理は、映像信号に対して行なう映像信号処理と比して処理に要する時間が短い。そこで、本来映像と同時に出力される音声を、映像を表示させる前に出力させることにより、映像処理信号の実行に伴って生じる映像の表示開始までの遅延によってユーザが感じるストレスを多少は軽減することができる。
【０１１３】
図１５（ａ）に示す音声タイミング設定画面において、ユーザがリモコン２の決定キーを操作した場合、制御部１０は、ＲＯＭ１１に格納されているメニュー画像を読み出し、読み出したメニュー画像に基づいて、図１５（ｂ）に示すようなテスト画面を表示部１９に表示させる。図１５（ｂ）に示すテスト画面は、図３に示す設定画面を介して設定された設定情報を表示させると共に、リモコン２の決定キーの操作によって、設定画面を介して設定された設定情報及び音声タイミング設定画面を介して設定された映像に対する音声の出力タイミングが体感できるテストを開始できることを通知する。
【０１１４】
図１５（ａ）に示す画面において、ユーザがリモコン２のクリアキーを操作した場合、制御部１０は、映像の表示タイミングに対する音声の出力タイミングの設定処理を終了する。なお、図３に示す設定画面において、ユーザがリモコン２の決定キーを操作した場合、制御部（特定手段）１０は、設定画面を介して設定された設定情報に基づいて、実行するように設定された映像信号処理部３の各回路による信号処理に要する時間を特定し、映像信号が入力されてから映像が表示部１９に表示されるまでに要する時間（映像の遅延時間）をＲＡＭ１２に記憶させる。
【０１１５】
また、図１５（ａ）に示す音声タイミング設定画面において、ユーザがリモコン２の決定キーを操作した場合、制御部１０は、音声タイミング設定画面を介して設定された、映像の表示タイミングに対する音声の出力タイミング、具体的には、映像の表示開始に対する音声の出力開始の時間差に基づいて、音声信号が入力されてから音声がスピーカ２２から出力されるまでに要する時間（音声の遅延時間）をＲＡＭ１２に一旦記憶させる。
【０１１６】
図１５（ｂ）に示すテスト画面において、ユーザがリモコン２の決定キーを操作した場合、制御部（出力指示受付手段、取得手段）１０は、テスト処理の開始の指示を受け付け、予めＲＯＭ１１に格納されているテスト用の映像信号及び音声信号をＲＡＭ１２に読み出す。制御部１０は、カウンタを有し、ユーザがリモコン２の決定キーを操作した場合、カウンタによる計時処理を開始する。制御部１０は、カウンタによる計時処理に基づいて、ＲＡＭ１２に記憶させた映像の遅延時間を経過したと判断した場合、ＲＡＭ１２に読み出した映像信号を表示インタフェース１８へ送出して表示部１９に表示させ、ＲＡＭ１２に記憶させた音声の遅延時間を経過したと判断した場合、ＲＡＭ１２に読み出した音声信号をスピーカ２２へ送出して出力させる。
【０１１７】
これにより、図１５（ｃ）に示すようなテスト画面が表示部１９に表示される。なお、ここでのテスト用の映像信号は、図１５（ｃ）に示すように、「テスト終了」のメッセージを表示させるための信号であり、映像の表示タイミングに対して設定された音声の出力タイミングで音声が出力される。
【０１１８】
ユーザは、図１５（ｂ）に示すテスト画面から図１５（ｃ）に示すテスト画面へ切り替わる際の音声の出力タイミングと映像の表示タイミングとに基づいて、図３に示す設定画面を介して設定された設定情報及び図１５（ａ）に示す音声タイミング設定画面を介して設定された音声の出力タイミングを登録すべきか否かを判断する。図１５（ｃ）に示すテスト画面において、ユーザがリモコン２の決定キーを操作した場合、制御部（設定手段）１０は、ＲＡＭ１２に格納してある設定情報及び音声の遅延時間をＲＡＭ１２に記憶させて設定する。なお、図１５（ｃ）に示す画面において、ユーザがリモコン２のクリアキーを操作した場合、制御部１０は、上述した設定処理を行なわずに終了する。
【０１１９】
なお、制御部１０は、ＲＡＭ１２に記憶させた音声の遅延時間を音声信号処理部２１へ通知し、音声信号処理部２１は、音声信号に対して所定の音声信号処理を実行した後、制御部１０から通知された遅延時間から音声信号処理に要した時間を差し引いた時間、音声信号を保持し、所定のタイミングでスピーカ２２へ送出する。
【０１２０】
これにより、映像の表示タイミングに対する音声の出力タイミングを任意に変更することができる。また、音声の出力タイミングを設定する際に、ユーザが設定した条件で音声及び映像をテスト出力させることにより、ユーザは、自身が設定した条件を体感することができるので、設定した内容を登録すべきか否かを容易に判断することができる。
【０１２１】
以下に、本実施形態５のテレビジョン装置１によるテスト処理についてフローチャートを参照しながら説明する。図１６及び図１７はテレビジョン装置１によるテスト処理の手順を示すフローチャートである。なお、以下に示す処理手順は一例であってこれに限られるものではない。また、以下の処理は、ＲＯＭ１１に予め格納してある制御プログラムに従って制御部１０が実行する。
【０１２２】
テレビジョン装置１の制御部１０は、図３に示す設定画面を表示部１９に表示させている場合（Ｓ９１）、ユーザがリモコン２の決定キーを操作したか否かを判断し（Ｓ９２）、決定キーを操作したと判断した場合（Ｓ９２：ＹＥＳ）、設定画面を介して設定された設定情報に基づいて、映像の遅延時間を算出し（Ｓ９３）、ＲＡＭ１２に記憶させる。ユーザが決定キーを操作していない場合（Ｓ９２：ＮＯ）、即ち、ユーザがクリアキーを操作した場合、制御部１０は、設定画面を介して設定情報を設定する処理を終了する。
【０１２３】
制御部１０は、ＲＯＭ１１に格納されているメニュー画像に基づいて、図１５（ａ）に示す音声タイミング設定画面を表示部１９に表示させる（Ｓ９４）。制御部１０は、音声タイミング設定画面において、ユーザがリモコン２の決定キーを操作したか否かを判断しており（Ｓ９５）、決定キーを操作した場合（Ｓ９５：ＹＥＳ）、映像の表示タイミングに対する音声の出力タイミングに基づいて、音声の遅延時間を算出し（Ｓ９６）、ＲＡＭ１２に記憶させる。ユーザが決定キーを操作していない場合（Ｓ９５：ＮＯ）、即ち、ユーザがクリアキーを操作した場合、制御部１０は、音声タイミング設定画面を介して音声の出力タイミングを設定する処理を終了する。
【０１２４】
制御部１０は、ＲＯＭ１１に格納されているメニュー画像に基づいて、図１５（ｂ）に示すようなテスト画面を表示部１９に表示させる（Ｓ９７）。制御部１０は、テスト画面において、ユーザがリモコン２の決定キーを操作したか否かを判断しており（Ｓ９８）、決定キーを操作した場合（Ｓ９８：ＹＥＳ）、ＲＯＭ１１に格納されているテスト用の映像信号及び音声信号をＲＡＭ１２に読み出す（Ｓ９９）。ユーザが決定キーを操作していない場合（Ｓ９８：ＮＯ）、即ち、ユーザがクリアキーを操作した場合、制御部１０は、テスト処理を終了する。
【０１２５】
制御部１０は、カウンタによる計時処理を開始し（Ｓ１００）、ＲＡＭ１２に記憶させた映像の遅延時間を経過したか否かを判断する（Ｓ１０１）。映像の遅延時間を経過したと判断した場合（Ｓ１０１：ＹＥＳ）、制御部１０は、ＲＡＭ１２に読み出した映像信号を表示インタフェース１８へ送出して表示部１９に表示させ（Ｓ１０２）、映像の遅延時間を経過していない場合（Ｓ１０１：ＮＯ）、ステップＳ１０２の処理をスキップする。
【０１２６】
制御部１０は、ＲＡＭ１２に記憶させた音声の遅延時間を経過したか否かを判断し（Ｓ１０３）、経過したと判断した場合（Ｓ１０３：ＹＥＳ）、ＲＡＭ１２に読み出した音声信号をスピーカ２２へ送出して出力させる（Ｓ１０４）。映像の遅延時間を経過していない場合（Ｓ１０３：ＮＯ）、制御部１０はステップＳ１０４の処理をスキップする。
【０１２７】
制御部１０は、テスト用の映像信号に基づく映像の表示が終了したか否かを判断し（Ｓ１０５）、終了していないと判断した場合（Ｓ１０５：ＮＯ）、ステップＳ１０１へ処理を戻し、終了したと判断した場合（Ｓ１０５：ＹＥＳ）、テスト用の音声信号に基づく音声の出力が終了したか否かを判断する（Ｓ１０６）。音声の出力が終了していないと判断した場合（Ｓ１０６：ＮＯ）、制御部１０はステップＳ１０３へ処理を戻し、終了したと判断した場合（Ｓ１０６：ＹＥＳ）、ＲＯＭ１１に格納されているメニュー画像に基づいて、図１５（ｃ）に示すようなテスト画面を表示部１９に表示させて（Ｓ１０７）処理を終了する。
【０１２８】
上述した実施形態５では、設定された映像の遅延時間及び音声の遅延時間に基づいて、ＲＯＭ１１に予め記憶されているテスト用の映像信号及び音声信号を単純に表示及び出力させるテスト処理について説明した。しかし、テスト用の映像信号に対して、設定された設定情報に基づく映像信号処理を実際に実行すると共に、テスト用の音声信号に対して所定の音声信号処理を実際に実行するテスト処理を行なうようにしてもよい。
【０１２９】
具体的には、図１５（ｂ）に示すテスト画面において、ユーザがリモコン２の決定キーを操作した場合、制御部１０は、予めＲＯＭ１１に格納されているテスト用の映像信号及び音声信号をＲＡＭ１２に読み出す。制御部１０は、ＲＡＭ１２に読み出したテスト用の映像信号及び音声信号をそれぞれ映像信号処理部３又は音声信号処理部２１へ送出すると共に、ＲＡＭ１２に記憶してある音声の遅延時間を音声信号処理部２１へ通知する。
【０１３０】
制御部１０は、図３に示す設定画面を介して設定された設定情報に基づいて、映像信号処理部３の各回路を動作させ、映像信号処理部３は、設定情報において実行すべきであると設定された回路による信号処理を、入力された映像信号に対して実行し、得られた映像信号を表示インタフェース１８へ送出し、表示部１９に表示させる。また、音声信号処理部２１は、音声信号に対して所定の音声信号処理を実行した後、制御部１０から通知された遅延時間から音声信号処理に要した時間を差し引いた時間、音声信号を保持し、所定のタイミングでスピーカ２２へ送出して出力させる。これにより、図１５（ｃ）に示すテスト画面を表示部１９に表示させることができる。
【０１３１】
なお、テスト用の映像信号及び音声信号は、予めＲＯＭ１１に記憶させておいてもよいし、映像信号処理部３の内部で発生させるようにしてもよい。図１８は映像信号処理部３の構成の変形例を示すブロック図である。図１８に示す映像信号処理部３は、図２に示した各構成のほかに、テスト信号発生回路３８及びスイッチ回路３９を更に備えており、それぞれは制御部１０からの指示に従って動作する。
【０１３２】
テスト信号発生回路３８は、制御部１０からの指示に従って、所定のテスト用の映像信号を発生させ、生成した映像信号をスイッチ回路３９へ入力する。スイッチ回路３９は、制御部１０からの指示に従って、デジタルチューナ１６又はデジタル映像信号入力部１７から入力された映像信号と、テスト信号発生回路３８から入力された映像信号とのいずれかを第１スイッチ回路３１へ送出する。このような構成により、予めＲＯＭ１１にテスト用の映像信号を用意しておく必要がない。なお、テスト用の音声信号についても同様に、例えば音声信号処理部２１にテスト信号発生回路を設け、このテスト信号発生回路によって生成された音声信号をテスト処理に用いればよい。
【図面の簡単な説明】
【０１３３】
【図１】実施形態１に係るテレビジョン装置の構成例を示すブロック図である。
【図２】映像信号処理部の構成例を示すブロック図である。
【図３】設定画面の構成例を示す模式図である。
【図４】テレビジョン装置による設定処理の手順を示すフローチャートである
【図５】映像信号処理部に対する制御処理の手順を示すフローチャートである。
【図６】設定画面の変形例を示す模式図である。
【図７】比較画面の構成例を示す模式図である。
【図８】テレビジョン装置による設定処理の手順を示すフローチャートである。
【図９】テレビジョン装置による設定処理の手順を示すフローチャートである。
【図１０】比較画面の構成例を示す模式図である。
【図１１】テレビジョン装置による表示モードの設定処理の手順を示すフローチャートである。
【図１２】テレビジョン装置による表示モードの設定処理の手順を示すフローチャートである。
【図１３】設定画面の変形例を示す模式図である。
【図１４】テレビジョン装置による表示モードの設定処理の手順を示すフローチャートである。
【図１５】音声タイミング設定画面及びテスト画面の構成例を示す模式図である。
【図１６】テレビジョン装置によるテスト処理の手順を示すフローチャートである。
【図１７】テレビジョン装置によるテスト処理の手順を示すフローチャートである。
【図１８】映像信号処理部の構成の変形例を示すブロック図である。
【符号の説明】
【０１３４】
１  テレビジョン装置（映像表示処理装置）
３  映像信号処理部
１０  制御部（受付手段、制御手段、選択手段、特定手段、設定手段）
１２  ＲＡＭ（処理記憶手段、条件記憶手段）
１８  表示インタフェース（表示処理手段）
２１  音声信号処理部（音声処理手段）
【図１】
2009027371.tif 000003
【図２】
2009027371.tif 000004
【図３】
2009027371.tif 000005
【図４】
2009027371.tif 000006
【図５】
2009027371.tif 000007
【図６】
2009027371.tif 000008
【図７】
2009027371.tif 000009
【図８】
2009027371.tif 000010
【図９】
2009027371.tif 000011
【図１０】
2009027371.tif 000012
【図１１】
2009027371.tif 000013
【図１２】
2009027371.tif 000014
【図１３】
2009027371.tif 000015
【図１４】
2009027371.tif 000016
【図１５】
2009027371.tif 000017
【図１６】
2009027371.tif 000018
【図１７】
2009027371.tif 000019
【図１８】
2009027371.tif 000020